(57)【要約】      （修正有）【課題】グリッターの押出量を安定させると共に、微調整を可能とし、グラデーション等を美麗に仕上げることが可能なグリッターアート用ボトルを提供する。【解決手段】グリッターアート用ボトルＢは、容器本体１０と、容器本体の先端部を被覆するキャップＣとからなり、容器本体は、所蔵量を視認できる透明又は半透明な軟質樹脂材からなる胴部１１と、先端部に随時必要量のグリッターＧ押出し用のノズル１２ａを形成したネック部１２と、容器本体を立設させる円錐状のボトム部１３とから構成され、ネック部と胴部、胴部とボトム部とは連結手段によって固定されている。【選択図】図１
0003185712.tif 000002
【実用新案登録請求の範囲】
【請求項１】
グリッター（Ｇ）を収納し随時必要量のグリッター（Ｇ）を押し出して人体の
各部位に各種のイラスト等を描画するためのグリッターアート用ボトル（Ｂ）
であって、
前記グリッターアート用ボトル（Ｂ）は、前記容器本体（１０）と、該容器本
体（１０）の先端部を被覆するキャップ（Ｃ）とからなり、
前記容器本体（１０）は、透明又は半透明な軟質樹脂材からなる胴部（１１）と、先端部にグリッター（Ｇ）押出し用のノズル（１２ａ）を形成したネック部（１２）と、前記容器本体（１０）を立設させる円錐状のボトム部（１３）とから構成され、前記ネック部（１２）と胴部（１１）、胴部（１１）とボトム部（１３）とは連結手段によって固定されている、ことを特徴とするグリッターアート用ボトル（Ｂ）。
【請求項２】
前記容器本体（１０）の胴部（１１）は、指先で内方に押圧したとき弾性復元力を有する素材からなり、かつ弾性復元力ある厚さに形成されている、ことを特徴とする請求項１に記載したグリッターアート用ボトル（Ｂ）。
【請求項３】
前記ネック部（１２）の先端部に形成されたノズル（１２ａ）の内径（ｒ１）は、
少なくとも前記容器本体（１０）の胴部（１１）又は／及び前記ネック部（１２）
に所定の押圧力が付与されたとき、前記容器本体（１０）内のグリッター（Ｇ）
と容器本体（１０）内の空気が同時に押出可能とされている、ことを特徴とす
る請求項１又は請求項２に記載したグリッターアート用ボトル（Ｂ）。
【請求項４】
前記透明又は半透明な軟質樹脂材が、ポリエチレン・テレフタートである、
ことを特徴とする請求項１に記載したグリッターアート用ボトル（Ｂ）。
【請求項５】
前記容器本体（１０）におけるボトム部（１３）は内方に向けて湾曲されてい
る、ことを特徴とする請求項１に記載したグリッターアート用ボトル（Ｂ）。
【考案の詳細な説明】
【技術分野】
【０００１】
本考案は、グリッターアート用ボトルに関し、より詳しくは、グリッターアートを行う人が所望するグリッターの押出量を、ボトル先端部から自在に押し出してグラデーション等を美麗に仕上げることが可能なグリッターアート用ボトルに関する。
【背景技術】
【０００２】
従来より、女性が装飾塗料を手の爪に塗布するマニキュア、足の爪に塗布するペディキュアは行われている。近年、マニキュア、ペディキュアを含むネイルアートの他、光輝性を有するグリッター（ラメパウダー）を用いて身体の各部位、例えば、肩、腰や足首等にイラスト等を描画するボディジュエリーやダイヤモンドタトゥー、携帯電話やスマートホン等に描画するデコアート、いわゆるグリッターアートが盛んになってきている。
【０００３】
しかしながら、従来からグリッターの収納容器であるボトルは、特許文献１（図１、参照）や特許文献１（図１、参照）に示すような硬質の素材、例えば部厚い透明なガラス等からなっている。またグリッターの直径が約０.２ｍｍであるのに対して、グリッターが押し出されるボトルの先端部口径は、約０.５〜０.７ｍｍとなっているためにグリッターの押出量が一定でなく、その量が少なかったり、多量に出たりしてその押出量の調整が困難であり、特にグラデーション等を美麗に仕上げることができないという不具合があった。したがって、各種のグリッターアートを希望する女性は、ネイルサロン等の店舗に赴いて専門家であるネイリスト等に高額な施術料を支払い、貴重な時間を費やして施術してもらっている。
【先行技術文献】
【特許文献】
【０００４】
【特許文献１】特開２０１２−９０９６９号公報
【特許文献２】特開２００７−００７４３１号公報
【考案の概要】
【考案が解決しようとする課題】
【０００５】
本願考案者は、上記従来からのグリッターボトルや特許文献１や特許文献２等が有する不具合や欠点の解消について鋭意検討を重ねて本願考案を創案するに至った。そこで、その課題は以下の通りである。
○本考案が解決しようとする第１課題
本考案が解決しようとする第１課題は、グリッターの押出量を安定させると共に、微調整を可能とし、グラデーション等を美麗に仕上げることが可能なグリッターアート用ボトルを提供することである。
○本考案が解決しようとする第２課題
本考案が解決しようとする第２課題は、ネイルアート、ボディジュエリー、ダ
イヤモンドタトゥー、デコアート等についての作業効率を高める、グリッターアート用ボトルを提供することである。
○本考案が解決しようとする第３課題
本考案が解決しようとする第３課題は、ネイルサロン等の店舗に赴いて、高額
の施術料を支払って、ネイリスト等の専門家の施術をうけることなく、自分自
身で都合の良い時間に自由に好みのグリッターアートを楽しむことができる、
グリッターアート用ボトルを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＊＊＊＊＊＊＊＊＊＊＊＊＊＊＊＊＊＊＊＊＊＊＊＊＊＊＊＊＊＊＊＊＊＊＊  ＜用語の説明＞
〇グリッターとは、ラメパウダーともいう。六角形状のダイヤモンドカットさ
れた直径が約０.２ｍｍで、光に反射するとキラキラと輝く粉末体である装飾用
塗料（化粧用塗料）をいう。
〇グリッターアートとは、ネイルアート、ボディジュエリー、ダイヤモンドタ
トゥー、デコアート等の総称である。
〇ネイルアートとは、手足の爪にアクリル樹脂などで装飾することをいう。ま
た爪の形を整えて磨くケア、ネイルポリッシュ（マニキュア）、ペディキュアを
含む。
○ボディジュエリーとは、ボディー用の特殊なグルー（接着のり）を使用して、
７色に輝くカラーパウダーで肩、腰や腕等にキラキラのイラストを描画するこ
とをいう。
〇ダイヤモンドタトゥーとは、背中や足首、二の腕等にキラキラと輝くラメパ
ウダーを素肌に描画することをいう。
〇デコアートとは、キャラクターや模様を装飾して携帯電話やスマートホン等
にデザインすることをいう。
〇グラデーションとは、色と色の重合部分に濃淡を形成することをいう。
＊＊＊＊＊＊＊＊＊＊＊＊＊＊＊＊＊＊＊＊＊＊＊＊＊＊＊＊＊＊＊＊＊＊＊
課題を解決するための手段（第１考案〜第５考案）は、本願、実用新案登録請求の範囲の各請求項に記載の考案であり、具体的には、
第１考案は、請求項１に記載の考案であり、
第２考案は、請求項２に記載の考案であり、
第３考案は、請求項３に記載の考案であり、
第４考案は、請求項４に記載の考案であり、
第５考案は、請求項５に記載の考案であり、
具体的な課題を解決するための手段は、以下の通りである。
【０００７】
○第１の考案（請求項１に記載の考案）
上記の課題を解決するための第１の考案（請求項１に記載の考案）は、
グリッターを収納し随時必要量のグリッターを押し出して人体の各部位に各種
のイラスト等を描画するためのグリッターアート用ボトル（Ｂ）であって、
前記グリッターアート用ボトル（Ｂ）は、前記容器本体（１０）と、該容器本
体（１０）の先端部を被覆するキャップ（Ｃ）とからなり、前記容器本体（１
０）は、透明又は半透明な軟質樹脂材からなる胴部（１１）と、先端部にグリ
ッター（Ｇ）押出し用のノズル（１２ａ）を形成したネック部（１２）と、前記容器本体（１０）を立設させる円錐状のボトム部（１３）とから構成され、前記ネック部（１２）と胴部（１１）、胴部（１１）とボトム部（１３）とは連結手段によって固定されている、ことを特徴とするグリッターアート用ボトル（Ｂ）である。
○第２の考案（請求項２に記載の考案）
上記の課題を解決するための第２の考案（請求項２に記載の考案）は、
前記容器本体（１０）の胴部（１１）は、指先で内方に押圧したとき弾性復元
力を有する素材からなり、かつ弾性復元力ある厚さに形成されている、ことを
特徴とする請求項１に記載したグリッターアート用ボトル（Ｂ）である。
○第３の考案（請求項３に記載の考案）
上記の課題を解決するための第３の考案（請求項３に記載の考案）は、
前記ネック部（１２）の先端部に形成されたノズル（１２ａ）の内径（ｒ１）は、
少なくとも前記容器本体（１０）の胴部（１１）又は／及び前記ネック部（１２）
に所定の押圧力が付与されたとき、前記容器本体（１０）内のグリッター（Ｇ）
と容器本体（１０）内の空気が同時に押出可能とされている、ことを特徴とす
る請求項１又は請求項２に記載したグリッターアート用ボトル（Ｂ）である。
○第４の考案（請求項４に記載の考案）
上記の課題を解決するための第４の考案（請求項４に記載の考案）は、
前記透明又は半透明な軟質樹脂材が、ポリエチレン・テレフタートである、
ことを特徴とする請求項１に記載したグリッターアート用ボトル（Ｂ）である。
○第５の考案（請求項に記載の考案）
上記の課題を解決するための第５の考案（請求項５に記載の考案）は、
前記容器本体（１０）におけるボトム部（１３）は内方に向けて湾曲されてい
る、ことを特徴とする請求項１に記載したグリッターアート用ボトル（Ｂ）で
ある。
【考案の効果】
【０００８】
本考案に係る、グリッターアート用ボトル（Ｂ）は、上記のような特徴的構成要件から構成され、特徴的構成要件に応じた、以下のような本願考案特有の効果を奏する。また、上記の各考案に応じた、上記のような特徴的構成要件から構成されたグリッターアート用ボトル（Ｂ）によれば、本願考案の課題を十分解消することができた。
○第１の考案の効果
第１の考案によれば、グリッターを収納し随時必要量のグリッターを押し出し
て人体の各部位に各種のイラスト等を描画するためのグリッターアート用ボト
ル（Ｂ）であって、前記グリッターアート用ボトル（Ｂ）は、前記容器本体（１
０）と、該容器本体（１０）の先端部を被覆するキャップ（Ｃ）とからなり、
前記容器本体（１０）は、透明又は半透明な軟質樹脂材からなる胴部（１１）と、先端部にグリッター（Ｇ）押出し用のノズル（１２ａ）を形成したネック部（１２）と、前記容器本体（１０）を立設させる円錐状のボトム部（１３）とから構成され、前記ネック部（１２）と胴部（１１）、胴部（１１）とボトム部（１３）とは連結手段によって固定されていることという特徴的な構成要件により、本考案が解決しようとする第１課題〜第３課題を達成することができ、当業者予測不可能な顕著な効果を奏することができた。
○第２の考案の効果
第２の考案によれば、前記容器本体（１０）の胴部（１１）は、指先で内方に
押圧したとき弾性復元力を有する素材からなり、かつ弾性復元力ある厚さに形
成されていることという特徴的な構成要件により、本考案が解決しようとする
第１課題〜第３課題を達成することができ、当業者予測不可能な顕著な効果を
奏することができた。
○第３の考案の効果
第３の考案によれば、前記ネック部（１２）の先端部に形成されたノズル（１２
ａ）の内径（ｒ１）は、少なくとも前記容器本体（１０）の胴部（１１）又は／及
び前記ネック部（１２）に所定の押圧力が付与されたとき、前記容器本体（１
０）内のグリッター（Ｇ）と容器本体（１０）内の空気が同時に押出可能とされ
ていることという特徴的な構成要件により、本考案が解決しようとする第１課題〜第３課題を達成することができ、当業者予測不可能な顕著な効果を奏することができた。
○第４の考案の効果
第４の考案によれば、前記透明又は半透明な軟質樹脂材が、ポリエチレン・テレフタートであることという特徴的な構成要件により、本考案が解決しようとする第１課題〜第３課題を達成することができ、当業者予測不可能な顕著な効果を奏することができた。
○第５の考案の効果
第５の考案によれば、前記容器本体（１０）におけるボトム部（１３）は内方
に向けて湾曲されていることという特徴的な構成要件により、本考案が解決し
ようとする第１課題〜第３課題を達成することができ、当業者予測不可能な顕
著な効果を奏することができた。
【考案を実施するための形態】
【０００９】
以下、本考案に係る、グリッターアート用ボトル（Ｂ）に関する最良の実施形
態について、図面を参照しながら説明する。
図１は、本考案に係る、グリッターアート用ボトル（Ｂ）の構造を示す分解斜
視図である。
図２は、同キャップを取り外した状態の中央拡大縦断面図である。
図３は、図２におけるＡ部の拡大図である。
図４は、本考案に係る、グリッターアート用ボトル（Ｂ）の使用状態を示す斜視図である。
11111＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図１は、本考案に係る、グリッターアート用ボトル（Ｂ）を構成する部材を示
している。グリッターアート用ボトル（Ｂ）は、容器本体（１０）、キャップ（Ｃ）
を主な構成部材としている。容器本体（１０）は、胴部（１１）、ネック部（１
２）及び容器本体（１０）を机上等に立設するボトム部（１３）からなってい
る。容器本体（１０）を構成する各部材のうち胴部（１１）は、軟質樹脂材、
例えば、ポリエチレン・テレフタートを公知の押出成型法等によって製作され
る。容器本体（１０）における胴部（１１）は、胴部（１１）内に収納されて
いるグリッター（Ｇ）の所蔵量を視認するために透明体の素材が好ましい。し
かし胴部（１１）内のグリッター（Ｇ）の所蔵量が視認可能な半透明体の素材
を選択することもできる。ネック部（１２）とボトム部（１３）及びキャップ
の素材は、軟質樹脂材又は硬質樹脂材から選択されるが、例えば、硬質樹脂材
のポリプロピレン等が好適である。ネック部（１２）の下部周縁と胴部（１１）
の上部周縁は、図２及び図３のＡに示すように雄ねじと雌ねじの連結手段（Ｆ）
によって着脱可能に螺着されている。またネック部（１２）の先端部にグリッタ
ー（Ｇ）押出し用のノズル（１２ａ）が形成されている。ボトム部（１３）は、
図１及び図２に図示するようにほぼ円錐状（スカート状）に形成され、上部周
縁は胴部（１１）の下部周縁に嵌合固定（Ｋ）されるか、もしくはボトム部（１
３）と胴部（１１）に形成された雄ねじと雌ねじの連結手段（Ｆ）によって螺
着することも可能である。容器本体（１０）内にグリッター（Ｇ）を充填又は
補充するときは、ネック部（１２）と胴部（１１）の連結手段（Ｆ）を緩めて
両者を離間させ、胴部（１１）の開口部（１１ａ）から所定量のグリッター（Ｇ）
を投入することができる。
○第１の考案の効果・第１の考案によれば、グリッターを収納し随時必要量の
グリッターを押し出して人体の各部位に各種のイラスト等を描画するためのグ
リッターアート用ボトル（Ｂ）であって、前記グリッターアート用ボトル（Ｂ）
は、前記容器本体（１０）と、該容器本体（１０）の先端部を被覆するキャッ
プ（Ｃ）とからなり、前記容器本体（１０）は、透明又は半透明な軟質樹脂材
からなる胴部（１１）と、先端部にグリッター（Ｇ）押出し用のノズル（１２ａ）
を形成したネック部（１２）と、前記容器本体（１０）を立設させる円錐状の
ボトム部（１３）とから構成され、前記ネック部（１２）と胴部（１１）、胴部
（１１）とボトム部（１３）とは連結手段によって固定されている、ことを特
徴とするグリッターアート用ボトル（Ｂ）であることという特徴的な構成要件
により、本考案が解決しようとする第１課題〜第３課題を達成することができ、
当業者予測不可能な顕著な効果を奏することができた。
22222＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
容器本体（１０）の胴部（１１）は、例えば、図４に示すように親指又は人差指等の指先（Ｈ）で内方に押圧したとき弾性復元力を有する素材のポリエチレン・テレフタート等からなり、かつ弾性復元力ある厚さ、例えば、約１.５ｍｍ〜３ｍｍとされている。本考案に係るグリッターアート用ボトル（Ｂ）を用いて、グリッター（Ｇ）によるイラスト等を描画するには、図４に示すように、容器本体（１０）を描画する対象部位（例えば、爪など）に向けて傾斜させて親指及び人差し指（Ｈ）等を介して胴部（１１）に所定の圧力と時間を付与すれば、所望する量のグリッター（Ｇ）と容器本体（１０）内の空気（Ａｉｒ）とを同時に押し出すことができるので、グラデーション等を簡単に行うことができる。
○第２の考案の効果・第２の考案によれば、前記容器本体（１０）の胴部（１
１）は、指先で内方に押圧したとき弾性復元力を有する素材からなり、かつ弾
性復元力ある厚さに形成されていることという特徴的な構成要件により、本考
案が解決しようとする第１課題〜第３課題を達成することができ、当業者予測
不可能な顕著な効果を奏することができた。
33333＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図２に示す（ｒ１）は、グリッター（Ｇ）押出用ノズル（１２ａ）の内径で、少なくともグリッター（Ｇ）の直径約０.２ｍｍとほぼ同径又はやや大としている。したがって
容器本体（１０）の胴部（１１）及び／又はネック部（１２）に例えば、親指
及び人差し指（Ｈ）等により所定の押圧力が付与されたとき、前記容器本体（１
０）内のグリッター（Ｇ）と容器本体（１０）内の空気（Ａｉｒ）が同時に押し
出され、親指及び人差し指（Ｈ）等の力を緩めると、ノズル（１２ａ）周辺の
空気（Ａｉｒ）は、胴部（１１）及び／又はネック部（１２）の弾性復元力に
よって容器本体（１０）内に取り込まれる。
○第３の考案の効果・第３の考案によれば、前記ネック部（１２）の先端部に
形成されたノズル（１２ａ）の内径（ｒ１）は、少なくとも前記容器本体（１０）の
胴部（１１）に所定の押圧力が付与されたとき、前記容器本体（１０）内のグリ
ッター（Ｇ）と容器本体（１０）内の空気が同時に押出可能とされていることと
いう特徴的な構成要件により、本考案が解決しようとする第１課題〜第３課題
を達成することができ、当業者予測不可能な顕著な効果を奏することができた。
44444＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
容器本体（１０）の胴部（１１）及び／又はネック部（１２）は、透明又は半
透明な軟質樹脂材であるポリエチレン・テレフタートが好適である。胴部（１
１）内のグリッター（Ｇ）量は常に視認することができるので、グリッターアー
トを行うときに必要なカラーのグリッター（Ｇ）を準備しておくことができる。
○第４の考案の効果・第４の考案によれば、前記透明又は半透明な軟質樹脂材
が、ポリエチレン・テレフタートであることという特徴的な構成要件により、
本考案が解決しようとする第１課題〜第３課題を達成することができ、当業者
予測不可能な顕著な効果を奏することができた。
55555＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図２に示すように、ボトム部（１３）の底部（１３ａ）は、内方に向けて湾曲
されており、グリッターアートを行うときに、図４に示すように容器本体（１
０）を傾斜させるか又は直立させ、該底部（１３ａ）を指先（Ｈ）で軽くトン
トンと叩けば、容器本体（１０）内のグリッター（Ｇ）と空気（Ａｉｒ）が微量同時に押し出されて細かなイラストやグラデーションを描画することができる。
○第５の考案の効果・第５の考案によれば、前記容器本体（１０）におけるボ
トム部（１３）は内方に向けて湾曲されていることという特徴的な構成要件に
より、本考案が解決しようとする第１課題〜第３課題を達成することができ、
当業者予測不可能な顕著な効果を奏することができた。
【図面の簡単な説明】
【００１０】
【図１】本考案に係る、グリッターアート用ボトル（Ｂ）の構造を示す分解斜視図である。
【図２】同キャップを取り外した状態の中央拡大縦断面図である。
【図３】図２におけるＡ部の拡大図である。
【図４】本考案に係る、グリッターアート用ボトル（Ｂ）の使用状態を示す斜視図である。
【符号の説明】
【００１１】
Ｂ  ……グリッターアート用ボトル
Ｇ  ……グリッター
Ｃ  ……キャップ
Ｈ  ……指先
ｒ１……内径
１０……容器本体
１１……胴部
１１ａ……開口部
１２……ネック部
１２ａ……ノズル
１３……ボトム部
【図１】
0003185712.tif 000003
【図２】
0003185712.tif 000004
【図３】
0003185712.tif 000005
【図４】
0003185712.tif 000006